(57)【要約】【課題】本発明は提灯を開示した。【解決手段】提灯取り付け柱と前記提灯取り付け柱の中に設けられた外に開口した第一収納チャンバとを含み、前記第一収納チャンバの内壁の中には液圧シリンダが固定的に設けられ、前記液圧シリンダの一端には液圧ロッドが動力が伝達できるように連結され、提灯を使用した後、本発明は自動的に提灯を収納でき、また収納された提灯を提灯取り付け柱に収納でき、取り外すステップと次回改めて取り付けるステップを避け、大きく労力を節約し、更に天気が悪い時も、提灯を収納することができ、悪い天気による提灯の損害を避ける。【選択図】図１
2020177891.tif 000002
【特許請求の範囲】
【請求項１】
提灯取り付け柱と前記提灯取り付け柱の中に設けられた外に開口した第一収納チャンバとを含み、前記第一収納チャンバの内壁の中には液圧シリンダが固定的に設けられ、前記液圧シリンダの一端には液圧ロッドが動力が伝達できるように連結され、前記液圧ロッドの左端には収納箱が固定的に設けられ、前記収納箱の中には下方に開口した第二収納チャンバが設けられ、前記収納箱の中には前記第二収納チャンバの上側に位置している動力チャンバが設けられ、前記動力チャンバの中にはモーターが固定的に設けられ、前記モーターの左端には動力軸が動力が伝達できるように連結され、前記動力軸の左端には第一リールが固定的に設けられ、前記第一リールには第一引き糸が周設され、前記第一引き糸の下端には連結ロッドが固定的に設けられ、前記連結ロッドには支持フレームが固定的に設けられ、前記支持フレームの外には火袋が固定的に設けられ、火袋が柔軟材料であり、前記火袋の中には空気充填チャンバが形成され、前記支持フレームの間には前後に貫通しているライトチャンバが設けられ、前記ライトチャンバの中には固定ブロックが固定的に設けられ、前記固定ブロックの中にはライト固定穴が上下に貫通するように設けられ、前記連結ロッドの下端が前記ライトチャンバの中まで伸びており、且つ前記連結ロッドの下端にはライトが固定的に設けられ、前記ライトが揺れないように前記ライト固定穴の中に挿入され、前記連結ロッドの中には電源線が通れる空きチャンバが設けられ、前記支持フレームの中には一端が外部に連通しており、もう一端が前記空気充填チャンバに連通している抜き穴が設けられ、前記動力チャンバの中には空気充填機構が設けられ、前記空気充填機構と前記抜き穴との間がホースにより連通され、提灯を収納する時、前記モーターが始動するとき、前記第一リールが回転し、前記第一引き糸により前記連結ロッドを引き上昇運動させ、前記空気充填機構が作動し前記空気充填チャンバの中の気体を排出し、前記支持フレームが完全に前記第二収納チャンバの中に収納された時に、前記モーターが止め、前記液圧シリンダが作動し前記液圧ロッドにより前記収納箱を前記第一収納チャンバの中に収納することを特徴とする提灯。
【請求項２】
前記空気充填機構は前記動力チャンバの左壁に回転できるように設けられたカム軸を含み、前記カム軸と前記動力軸との間がラチェットホイール機構により伝動できるように連結され、前記カム軸にはカムが固定的に設けられ、前記動力チャンバの底壁には空気入れが固定的に設けられ、前記空気入れの下側には空気排出パイプが設けられ、前記第二収納チャンバの頂壁には上制御ブロックが固定的に設けられ、前記上制御ブロックの中には上下に貫通している上通気孔が設けられ、前記上制御ブロックの下端面には密封溝が設けられ、前記上通気孔が前記空気排出パイプと連通しており、前記第二収納チャンバの左壁の中にはバネ溝が設けられ、前記バネ溝の中にはスライドブロックがスライドできるように設けられ、前記スライドブロックと前記バネ溝の底壁との間にはバネが連結され、、前記スライドブロックの右端面には中間ロッドが固定的に設けられ、前記中間ロッドの右端には下制御ブロックが固定的に設けられ、前記下制御ブロックの中には上下に貫通している下通気孔が設けられ、前記下制御ブロックの上端面には前記密封溝に挿入された密封リングが固定的に設けられ、前記ホースが前記下制御ブロックと固定的に連結され、且つ前記下通気孔と連通しており、前記連結ロッドが下に運動する時、前記第一リールが前記ラチェットホイール機構により前記カム軸を回転連動させ、前記カムが前記空気入れを押すことにより、気体を前記空気入れチャンバの中に充填し、前記第二収納チャンバの中には制御機構が設けられ、前記連結ロッドが上昇する時、前記制御機構が前記スライドブロックを降下連動させ前記上制御ブロックと離脱させ、前記空気充填チャンバの中の気体を前記下通気孔から排出することを特徴とする請求項１に記載の提灯。
【請求項３】
前記制御機構は前記第二収納チャンバの右側内壁の中に設けられたスライド溝を含み、前記スライド溝の中にはラックがスライドできるように設けられ、前記ラックの後端面が歯状であり、前記ラックの左端と前記連結ロッドとの間が伝動ロッドにより固定的に連結され、前記スライド溝の後壁の中には前方に開口した歯車チャンバが設けられ、前記歯車チャンバの右壁には歯車軸が回転できるように設けられ、前記歯車軸と前記歯車チャンバの内壁との間にはトーションバネが連結され、前記歯車軸には第二リールが固定的に設けられ、前記第二リールには第二引き糸が周設され、前記第二引き糸の一端が前記バネ溝の中まで伸びており、且つ前記スライドブロックの下端面と固定的に連結され、前記歯車軸の左端には歯車が固定的に設けられ、前記連結ロッドが上昇する時、前記伝動ロッドにより前記ラックを上昇連動させ、前記ラックと前記歯車とが噛合し、これにより前記第二リールを回転させ、また前記第二引き糸により前記スライドブロックを下に引き、前記下制御ブロックと前記上制御ブロックとを離脱させることを特徴とする請求項２に記載の提灯。
【発明の詳細な説明】
【技術分野】
【０００１】
本発明は灯具分野を取り上げて、具体的には提灯である。
【背景技術】
【０００２】
祝日や重要な行事にあたって、喜ばしい雰囲気を醸すため、いろいろなところに提灯が掲げられ、一定の時間が経つと提灯を下ろす必要があり、次回の祝日に改めて取り付け、その方法は時間と体力を無駄にし、直接に提灯を自動的に収納することができれば、上記の問題を比較的にうまく解決できる。
【先行技術文献】
【特許文献】
【０００３】
【特許文献１】中国特許出願公開第105757557号明細書
【発明の概要】
【発明が解決しようとする課題】
【０００４】
本発明の目的は提灯を提供し、それは上記の現在の技術中の問題を解決できる。
【課題を解決するための手段】
【０００５】
本発明の提灯は、提灯取り付け柱と前記提灯取り付け柱の中に設けられた外に開口した第一収納チャンバとを含み、前記第一収納チャンバの内壁の中には液圧シリンダが固定的に設けられ、前記液圧シリンダの一端には液圧ロッドが動力が伝達できるように連結され、前記液圧ロッドの左端には収納箱が固定的に設けられ、前記収納箱の中には下方に開口した第二収納チャンバが設けられ、前記収納箱の中には前記第二収納チャンバの上側に位置している動力チャンバが設けられ、前記動力チャンバの中にはモーターが固定的に設けられ、前記モーターの左端には動力軸が動力が伝達できるように連結され、前記動力軸の左端には第一リールが固定的に設けられ、前記第一リールには第一引き糸が周設され、前記第一引き糸の下端には連結ロッドが固定的に設けられ、前記連結ロッドには支持フレームが固定的に設けられ、前記支持フレームの外には火袋が固定的に設けられ、火袋が柔軟材料であり、前記火袋の中には空気充填チャンバが形成され、前記支持フレームの間には前後に貫通しているライトチャンバが設けられ、前記ライトチャンバの中には固定ブロックが固定的に設けられ、前記固定ブロックの中にはライト固定穴が上下に貫通するように設けられ、前記連結ロッドの下端が前記ライトチャンバの中まで伸びており、且つ前記連結ロッドの下端にはライトが固定的に設けられ、前記ライトが揺れないように前記ライト固定穴の中に挿入され、前記連結ロッドの中には電源線が通れる空きチャンバが設けられ、前記支持フレームの中には一端が外部に連通しており、もう一端が前記空気充填チャンバに連通している抜き穴が設けられ、前記動力チャンバの中には空気充填機構が設けられ、前記空気充填機構と前記抜き穴との間がホースにより連通され、提灯を収納する時、前記モーターが始動するとき、前記第一リールが回転し、前記第一引き糸により前記連結ロッドを引き上昇運動させ、前記空気充填機構が作動し前記空気充填チャンバの中の気体を排出し、前記支持フレームが完全に前記第二収納チャンバの中に収納された時に、前記モーターが止め、前記液圧シリンダが作動し前記液圧ロッドにより前記収納箱を前記第一収納チャンバの中に収納する。
【０００６】
優選の技術プランとして、前記空気充填機構は前記動力チャンバの左壁に回転できるように設けられたカム軸を含み、前記カム軸と前記動力軸との間がラチェットホイール機構により伝動できるように連結され、前記カム軸にはカムが固定的に設けられ、前記動力チャンバの底壁には空気入れが固定的に設けられ、前記空気入れの下側には空気排出パイプが設けられ、前記第二収納チャンバの頂壁には上制御ブロックが固定的に設けられ、前記上制御ブロックの中には上下に貫通している上通気孔が設けられ、前記上制御ブロックの下端面には密封溝が設けられ、前記上通気孔が前記空気排出パイプと連通しており、前記第二収納チャンバの左壁の中にはバネ溝が設けられ、前記バネ溝の中にはスライドブロックがスライドできるように設けられ、前記スライドブロックと前記バネ溝の底壁との間にはバネが連結され、、前記スライドブロックの右端面には中間ロッドが固定的に設けられ、前記中間ロッドの右端には下制御ブロックが固定的に設けられ、前記下制御ブロックの中には上下に貫通している下通気孔が設けられ、前記下制御ブロックの上端面には前記密封溝に挿入された密封リングが固定的に設けられ、前記ホースが前記下制御ブロックと固定的に連結され、且つ前記下通気孔と連通しており、前記連結ロッドが下に運動する時、前記第一リールが前記ラチェットホイール機構により前記カム軸を回転連動させ、前記カムが前記空気入れを押すことにより、気体を前記空気入れチャンバの中に充填し、前記第二収納チャンバの中には制御機構が設けられ、前記連結ロッドが上昇する時、前記制御機構が前記スライドブロックを降下連動させ前記上制御ブロックと離脱させ、前記空気充填チャンバの中の気体を前記下通気孔から排出する。
【０００７】
優選の技術プランとして、前記制御機構は前記第二収納チャンバの右側内壁の中に設けられたスライド溝を含み、前記スライド溝の中にはラックがスライドできるように設けられ、前記ラックの後端面が歯状であり、前記ラックの左端と前記連結ロッドとの間が伝動ロッドにより固定的に連結され、前記スライド溝の後壁の中には前方に開口した歯車チャンバが設けられ、前記歯車チャンバの右壁には歯車軸が回転できるように設けられ、前記歯車軸と前記歯車チャンバの内壁との間にはトーションバネが連結され、前記歯車軸には第二リールが固定的に設けられ、前記第二リールには第二引き糸が周設され、前記第二引き糸の一端が前記バネ溝の中まで伸びており、且つ前記スライドブロックの下端面と固定的に連結され、前記歯車軸の左端には歯車が固定的に設けられ、前記連結ロッドが上昇する時、前記伝動ロッドにより前記ラックを上昇連動させ、前記ラックと前記歯車とが噛合し、これにより前記第二リールを回転させ、また前記第二引き糸により前記スライドブロックを下に引き、前記下制御ブロックと前記上制御ブロックとを離脱させる。
【発明の効果】
【０００８】
提灯を使用した後、本発明は自動的に提灯を収納でき、また収納された提灯を提灯取り付け柱に収納でき、取り外すステップと次回改めて取り付けるステップを避け、大きく労力を節約し、更に天気が悪い時も、提灯を収納することができ、悪い天気による提灯の損害を避ける。
【図面の簡単な説明】
【０００９】
以下、図１−５を合わせて本発明について詳しく説明し、また、説明の便利を図るため、下記に記載の上下左右前後方向が図１自身の投影関係の上下左右前後方向と一致することにする。
【００１０】
【図１】図１は本発明の提灯の全体構成略図
【図２】図２は図１のＡの構成略図
【図３】図３は図２のＢの構成略図
【図４】図４は図２のＣの構成略図
【図５】図５は図２のＤ−Ｄの構成略図
【発明を実施するための形態】
【００１１】
以下、付図及び実施例を合わせて本発明について詳しく説明し、本発明の方式は以下の実施例含むが、以下の実施例に限られているものではない。
【００１２】
図１−５を参照し、本発明の提灯は、提灯取り付け柱１３と前記提灯取り付け柱１３の中に設けられた外に開口した第一収納チャンバ１２とを含み、前記第一収納チャンバ１２の内壁の中には液圧シリンダ１１が固定的に設けられ、前記液圧シリンダ１１の一端には液圧ロッド１０が動力が伝達できるように連結され、前記液圧ロッド１０の左端には収納箱２０が固定的に設けられ、前記収納箱２０の中には下方に開口した第二収納チャンバ２１が設けられ、前記収納箱２０の中には前記第二収納チャンバ２１の上側に位置している動力チャンバ１９が設けられ、前記動力チャンバ１９の中にはモーター１４が固定的に設けられ、前記モーター１４の左端には動力軸１５が動力が伝達できるように連結され、前記動力軸１５の左端には第一リール１６が固定的に設けられ、前記第一リール１６には第一引き糸３５が周設され、前記第一引き糸３５の下端には連結ロッド３２が固定的に設けられ、前記連結ロッド３２には支持フレーム２４が固定的に設けられ、前記支持フレーム２４の外には火袋２５が固定的に設けられ、火袋２５が柔軟材料であり、前記火袋２５の中には空気充填チャンバ２６が形成され、前記支持フレーム２４の間には前後に貫通しているライトチャンバ２９が設けられ、前記ライトチャンバ２９の中には固定ブロック３０が固定的に設けられ、前記固定ブロック３０の中にはライト固定穴５５が上下に貫通するように設けられ、前記連結ロッド３２の下端が前記ライトチャンバ２９の中まで伸びており、且つ前記連結ロッド３２の下端にはライト２８が固定的に設けられ、前記ライト２８が揺れないように前記ライト固定穴５５の中に挿入され、前記連結ロッド３２の中には電源線３１が通れる空きチャンバ２２が設けられ、前記支持フレーム２４の中には一端が外部に連通しており、もう一端が前記空気充填チャンバ２６に連通している抜き穴２７が設けられ、前記動力チャンバ１９の中には空気充填機構１００が設けられ、前記空気充填機構１００と前記抜き穴２７との間がホース２３により連通され、提灯を収納する時、前記モーター１４が始動するとき、前記第一リール１６が回転し、前記第一引き糸３５により前記連結ロッド３２を引き上昇運動させ、前記空気充填機構１００が作動し前記空気充填チャンバ２６の中の気体を排出し、前記支持フレーム２４が完全に前記第二収納チャンバ２１の中に収納された時に、前記モーター１４が止め、前記液圧シリンダ１１が作動し前記液圧ロッド１０により前記収納箱２０を前記第一収納チャンバ１２の中に収納する。
【００１３】
有益的には、前記空気充填機構１００は前記動力チャンバ１９の左壁に回転できるように設けられたカム軸３８を含み、前記カム軸３８と前記動力軸１５との間がラチェットホイール機構３７により伝動できるように連結され、前記カム軸３８にはカム１７が固定的に設けられ、前記動力チャンバ１９の底壁には空気入れ１８が固定的に設けられ、前記空気入れ１８の下側には空気排出パイプ４９が設けられ、前記第二収納チャンバ２１の頂壁には上制御ブロック５２が固定的に設けられ、前記上制御ブロック５２の中には上下に貫通している上通気孔４８が設けられ、前記上制御ブロック５２の下端面には密封溝４７が設けられ、前記上通気孔４８が前記空気排出パイプ４９と連通しており、前記第二収納チャンバ２１の左壁の中にはバネ溝４４が設けられ、前記バネ溝４４の中にはスライドブロック４５がスライドできるように設けられ、前記スライドブロック４５と前記バネ溝４４の底壁との間にはバネ５６が連結され、、前記スライドブロック４５の右端面には中間ロッド５４が固定的に設けられ、前記中間ロッド５４の右端には下制御ブロック５０が固定的に設けられ、前記下制御ブロック５０の中には上下に貫通している下通気孔５３が設けられ、前記下制御ブロック５０の上端面には前記密封溝４７に挿入された密封リング４６が固定的に設けられ、前記ホース２３が前記下制御ブロック５０と固定的に連結され、且つ前記下通気孔５３と連通しており、前記連結ロッド３２が下に運動する時、前記第一リール１６が前記ラチェットホイール機構３７により前記カム軸３８を回転連動させ、前記カム１７が前記空気入れ１８を押すことにより、気体を前記空気入れチャンバ２６の中に充填し、前記第二収納チャンバ２１の中には制御機構が設けられ、前記連結ロッド３２が上昇する時、前記制御機構が前記スライドブロック４５を降下連動させ前記上制御ブロック５２と離脱させ、前記空気充填チャンバ２６の中  の気体を前記下通気孔５３から排出する。
【００１４】
有益的には、前記制御機構は前記第二収納チャンバ２１の右側内壁の中に設けられたスライド溝３６を含み、前記スライド溝３６の中にはラック３４がスライドできるように設けられ、前記ラック３４の後端面が歯状であり、前記ラック３４の左端と前記連結ロッド３２との間が伝動ロッド３３により固定的に連結され、前記スライド溝３６の後壁の中には前方に開口した歯車チャンバ５７が設けられ、前記歯車チャンバ５７の右壁には歯車軸４０が回転できるように設けられ、前記歯車軸４０と前記歯車チャンバ５７の内壁との間にはトーションバネ４１が連結され、前記歯車軸４０には第二リール４２が固定的に設けられ、前記第二リール４２には第二引き糸４３が周設され、前記第二引き糸４３の一端が前記バネ溝４４の中まで伸びており、且つ前記スライドブロック４５の下端面と固定的に連結され、前記歯車軸４０の左端には歯車３９が固定的に設けられ、前記連結ロッド３２が上昇する時、前記伝動ロッド３３により前記ラック３４を上昇連動させ、前記ラック３４と前記歯車３９とが噛合し、これにより前記第二リール４２を回転させ、また前記第二引き糸４３により前記スライドブロック４５を下に引き、前記下制御ブロック５０と前記上制御ブロック５２とを離脱させる。
【００１５】
前記提灯の実現方法は以下のステップを含む：
【００１６】
提灯を収納する時、モーター１４が始動されるとき、第一リール１６が回転し、第一引き糸３５により連結ロッド３２を引き上昇運動させ、連結ロッド３２が伝動ロッド３３によりラック３４を上昇連動させ、ラック３４と歯車３９とが噛合し、これにより第二リール４２を回転させ、また第二引き糸４３によりスライドブロック４５を下に引き、下制御ブロック５０と上制御ブロック５２とを離脱させ、空気充填チャンバ２６の中の気体が下通気孔５３により排出され、支持フレーム２４が完全に第二収納チャンバ２１の中に収納された時に、モーター１４が止め、液圧シリンダ１１が作動し液圧ロッド１０により収納箱２０を第一収納チャンバ１２の中に収納連動させる。
【００１７】
提灯を出す時、液圧シリンダ１１が作動し液圧ロッド１０により収納箱２０を出し、モーター１４が始動され反転し、支持フレーム２４が重力の作用により降下し伸び出し、第一リール１６がラチェットホイール機構３７によりカム軸３８を回転連動させ、カム１７が空気入れ１８を押すことにより、気体が空気排出パイプ４９と、上通気孔４８と、下通気孔５３と、ホース２３とを通して空気充填チャンバ２６の中に入り、火袋２５を広げる。
【００１８】
上記のように、提灯を使用した後、本発明は自動的に提灯を収納でき、また収納された提灯を提灯取り付け柱に収納でき、取り外すステップと次回改めて取り付けるステップを避け、大きく労力を節約し、更に天気が悪い時も、提灯を収納することができ、悪い天気による提灯の損害を避ける。
【００１９】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177891.tif 000003
【図２】
2020177891.tif 000004
【図３】
2020177891.tif 000005
【図４】
2020177891.tif 000006
【図５】
2020177891.tif 000007